(57)【要約】【課題】迅速に資料提示装置１００レンズの光軸と顕微鏡２０眼レンズの光軸を一致させることができる資料提示装置用アタッチメント１０を供すること。【解決手段】、円筒部１１を顕微鏡２０の接眼レンズ鏡筒２１に遊嵌し、３本のネジ部材１４で円筒部１１を接眼レンズ鏡筒２１に固定する。その際、指示線１２ｂを参照して貫通穴１２ａの中心が接眼レンズの中心すなわち接眼レンズの光軸と一致するように円筒部１１の取り付け位置を調整する。アタッチメント１０を取り付けた顕微鏡２０を資料提示装置１００のカメラヘッド１０３の下方に設置し、カメラヘッド１０３の撮像レンズ鏡筒１０４の外周面がアタッチメント１０の位置決め片１３に当接するように顕微鏡２０の設置位置を調整する。これにより、顕微鏡２０の接眼レンズの光軸と資料提示装置１００の撮像レンズの光軸が一致する【選択図】図５
2010237345.tif 000002
【特許請求の範囲】
【請求項１】
基台に立設した支柱の先端部にカメラヘッドを設け、カメラヘッドに撮像レンズ鏡筒を突設した資料提示装置における前記撮像レンズ鏡筒と顕微鏡の接眼レンズ鏡筒とを接続する資料提示装置用アタッチメントであって、
下端を開口に形成し、該開口から前記接眼レンズ鏡筒に遊嵌可能な円筒部と、円筒部上端に形成され前記撮像レンズ鏡筒の先端が当接する円形の受け面と、受け面の中心に形成された貫通穴と、受け面に表記され前記貫通穴の中心を指示する指示線と、前記受け面の外周縁の一部に沿って立設され内周面の曲率半径が前記撮像レンズ鏡筒の外周面の曲率半径と略等しく、前記撮像レンズ鏡筒の外周面が当接する平面視円弧形の位置決め片と、前記円筒部の周面を貫通して円筒部に径方向へ螺進可能に組み付けられると共に、等角度間隔で配置された少なくとも３本のネジ部材とを備えたことを特徴とする資料提示装置用アタッチメント。
【発明の詳細な説明】
【技術分野】
【０００１】
本発明は、資料提示装置用アタッチメントに関し、より詳しくは、基台に立設した支柱の先端部にカメラヘッドを設け、カメラヘッドに突設した撮像レンズ鏡筒の直下に書類や模型等の資料を配置して撮像し、撮像をモニターテレビで再生したり、ビデオプロジェクターでスクリーンに投影する資料提示装置と、顕微鏡とを接続するためのアタッチメントに関する。
【背景技術】
【０００２】
資料提示装置の一形式として、特開２００８−１９３３９１号公報には、図６に示すように基台１０１から支柱１０２を立設し、この支柱１０２先端にカメラヘッド１０３を取り付けた資料提示装置１００が開示されている。
【０００３】
この種の資料提示装置１００では、支柱１０２が基台１０１から直立する直立部１０２ａと、直立部１０２ａから連続して水平に基台１０１の前方へ延びる水平部１０２ｂを有し、水平部１０２ｂの先端にカメラヘッド１０３を設けている。そして、カメラヘッドの底面に撮像レンズ鏡筒１０４が突設されている。
この資料提示装置１００によれば、資料をカメラヘッド１０３の撮像レンズ鏡筒１０４の直下に配置して資料を撮像する。
【先行技術文献】
【特許文献】
【０００４】
【特許文献１】特開２００８−１９３３９１号公報
【発明の概要】
【発明が解決しようとする課題】
【０００５】
ところで、この種の資料提示装置１００の一使用方法として、資料提示装置１００の撮像レンズ鏡筒１０４の直下に顕微鏡の接眼レンズ鏡筒を配置し、顕微鏡の検査台に載置した検査対象物の拡大画像をモニターテレビ等で再生することがある。
【０００６】
このように顕微鏡を使って検査対象物の拡大画像を資料提示装置で再生する場合、資料提示装置の撮像レンズの光軸と顕微鏡の接眼レンズの光軸を一致させることが好ましい。しかしながら、光軸同士を一致させるには顕微鏡の設置位置を微妙に調整しなければならず、甚だ面倒で手間がかかる。
また、光軸を一致させるべく顕微鏡の設置位置を調整する際、顕微鏡の接眼レンズ鏡筒のレンズ開口面に取り付けられているリングが資料提示装置１００の撮像レンズに接触して傷が付くおそれがある。
【０００７】
本発明はかかる問題点に鑑み、迅速に資料提示装置の撮像レンズの光軸と顕微鏡の接眼レンズの光軸を一致させることができる資料提示装置用アタッチメントを提供することを目的とする。
また、顕微鏡の接眼レンズ鏡筒のレンズ開口面に取り付けられているリングが資料提示装置の撮像レンズに接触して傷付くのを防止できる資料提示装置用アタッチメントを提供することを目的とする。
【課題を解決するための手段】
【０００８】
請求項１に記載の発明は、基台に立設した支柱の先端部にカメラヘッドを設け、カメラヘッドに撮像レンズ鏡筒を突設した資料提示装置における前記撮像レンズ鏡筒と顕微鏡の接眼レンズ鏡筒とを接続する資料提示装置用アタッチメントであって、
下端を開口に形成し、該開口から前記接眼レンズ鏡筒に遊嵌可能な円筒部と、円筒部上端に形成され前記撮像レンズ鏡筒の先端が当接する円形の受け面と、受け面の中心に形成された貫通穴と、受け面に表記され前記貫通穴の中心を指示する指示線と、前記受け面の外周縁の一部に沿って立設され内周面の曲率半径が前記撮像レンズ鏡筒の外周面の曲率半径と略等しく、前記撮像レンズ鏡筒の外周面が当接する平面視円弧形の位置決め片と、前記円筒部の周面を貫通して円筒部に径方向へ螺進可能に組み付けられると共に、等角度間隔で配置された少なくとも３本のネジ部材とを備えたことを特徴とする。
【発明の効果】
【０００９】
請求項１に記載の発明に係る資料提示装置用アタッチメントの使用方法は以下の通りである。
円筒部を顕微鏡の接眼レンズ鏡筒に遊嵌し、３本のネジ部材で円筒部を接眼レンズ鏡筒に固定する。その際、指示線を参照して貫通穴の中心が接眼レンズの中心すなわち接眼レンズの光軸と一致するように円筒部の取り付け位置を調整する。アタッチメントを取り付けた顕微鏡を資料提示装置のカメラヘッドの下方に設置し、カメラヘッドの撮像レンズ鏡筒の外周面がアタッチメントの位置決め片に当接するように顕微鏡の設置位置を調整する。これにより、顕微鏡の接眼レンズの光軸と資料提示装置の撮像レンズの光軸が一致する。
【００１０】
本発明によれば、指示線を参照して中心穴の中心が顕微鏡の接眼レンズの光軸と一致するようにアタッチメントを顕微鏡に取り付ければ、後は資料提示装置の撮像レンズ鏡筒が位置決め片に当接するように顕微鏡の設置位置を調整するだけで、撮像レンズの光軸と接眼レンズの光軸を一致させることができる。
【００１１】
また、顕微鏡の接眼レンズ鏡筒が円筒部で覆われるので、接眼レンズ鏡筒のリングが資料提示装置の撮像レンズに接触して傷付くのを防止できる。さらにまた、位置決め片を平面視円弧形としたので、資料提示装置の撮像レンズ鏡筒を横方向から移動させて位置決め片に当接でき、使い勝手が良い。
【図面の簡単な説明】
【００１２】
【図１】本発明の実施例に係る資料提示装置用アタッチメントを示す斜視図である。
【図２】同資料提示装置用アタッチメントを示す側面図である。
【図３】同資料提示装置用アタッチメントを示す平面図である。
【図４】同資料提示装置用アタッチメントを示す底面図である。
【図５】同資料提示装置用アタッチメントの使用方法を示す説明図である。
【図６】資料提示装置を示す斜視図である。
【実施例】
【００１３】
以下に本発明を図面に基づき説明するに、図１〜図４には本発明の一実施例に係る資料提示装置用アタッチメント１０が示されている。当該アタッチメント１０はプラスチック成型品で、円筒部１１、円形受け面１２及び位置決め片１３が一体成形されている。
【００１４】
円筒部１１は下端面が開口１１ａに形成され、開口１１ａの径は顕微鏡２０（図５参照）の接眼レンズ鏡筒２１が遊嵌する大きさに設定されている。円筒部１１の周面の３箇所に１２０度の等角度間隔でネジ穴が形成され、各ネジ穴に摘み付きのネジ部材１４が円筒部１１の径方向へ螺進可能に組み付けられ、ネジ部材１４の先端が円筒部１１の内部に突出している。
【００１５】
円筒部１１の上端面には円形の受け面１２が設けられ、受け面１２の中心部に貫通穴１２ａが形成されている。この貫通穴１２ａの径は顕微鏡２０の接眼レンズと略同じ大きさに設定されている。受け面１２の上面には貫通穴１２ａの中心を指示する４本の指示線１２ｂが表記されている。４本の指示線１２ｂは９０度の等角度間隔で形成され、交点が貫通穴１２ａの中心を指示している。
【００１６】
位置決め片１３は図３に示すように、平面視円弧形を有し、受け面１２の周縁部から立設されている。位置決め片１３は受け面１２の周縁の略半周にわたって設けられている。位置決め片１３の曲率半径は資料提示装置１００の撮像レンズ鏡筒１０４の外周面の半径と略等しく設定されている。
【００１７】
円筒部１１、貫通穴１２ａ及び受け面１２の中心並びに位置決め片１３の曲率中心は一直線上に整列するように設定されている。
【００１８】
本実施例に係る資料提示装置用アタッチメント１０の構造は以上の通りであって、以下にその使用方法を図５に基づき説明する。
初めに、円筒部１１を顕微鏡２０の接眼レンズ鏡筒２１に遊嵌し、３本のネジ部材１４で円筒部１１を接眼レンズ鏡筒２１に固定する。その際、指示線１２ｂを参照して貫通穴１２ａの中心が接眼レンズの中心すなわち接眼レンズの光軸と一致するように円筒部１１の取り付け位置を調整する。
【００１９】
アタッチメント１０を取り付けた顕微鏡２０を資料提示装置１００のカメラヘッド１０３の下方に設置し、カメラヘッド１０３の撮像レンズ鏡筒１０４の外周面がアタッチメント１０の位置決め片１３に当接し、撮像レンズ鏡筒１０４の先端面が受け面１２に当接するように顕微鏡２０の設置位置を調整する。これにより、顕微鏡２０の接眼レンズの光軸と資料提示装置１００の撮像レンズの光軸が一致する。
【００２０】
本実施例によれば、指示線１２ｂを参照して中心穴１２ａの中心が顕微鏡２０の接眼レンズの光軸と一致するようにアタッチメント１０を顕微鏡２０に取り付ければ、後は資料提示装置１００の撮像レンズ鏡筒１０４が位置決め片１３に当接するように顕微鏡２０の設置位置を調整するだけで、資料提示装置１００の撮像レンズの光軸と顕微鏡２０の接眼レンズの光軸を一致させることができる。
【００２１】
また、顕微鏡２０の接眼レンズ鏡筒２１が円筒部１１で覆われるので、接眼レンズ鏡筒２１のリングが資料提示装置１００の撮像レンズに接触して傷付くのを防止できる。
さらにまた、円筒部１１のサイズは顕微鏡の接眼レンズ鏡筒２１に遊嵌できるようにしたので、接眼レンズ鏡筒のサイズが異なる顕微鏡にもアタッチメント１０を取り付けることができる。
【符号の説明】
【００２２】
１０…資料提示装置用アタッチメント
１１…円筒部
１２…受け面
１２ａ…貫通穴
１２ｂ…指示線
１３…位置決め片
１４…ネジ部材
２０…顕微鏡
２１…接眼レンズ鏡筒
１００…資料提示装置
１０１…基台
１０２…支柱
１０２ａ…直立部
１０２ｂ…水平部
１０３…カメラヘッド
１０４…撮像レンズ鏡筒 
【図１】
2010237345.tif 000003
【図２】
2010237345.tif 000004
【図３】
2010237345.tif 000005
【図４】
2010237345.tif 000006
【図５】
2010237345.tif 000007
【図６】
2010237345.tif 000008